Podtech/llm-jp-corpus-v4-ja_patent huggingface dataset:
(57)【要約】      （修正有）【課題】食器類を洗う場合、少量の洗剤で脂汚れや粘り汚れを効率よく取り除くことができるゴムたわしを提供する。【解決手段】軟質のゴム素材を使用し、指を挿入する筒状部１と、掌に接した状態で食器類を洗うことのできる平面部２とからなる一体構造であって、表面全体にかけて、波状、ジグザグ状、イボ状等の凹凸４を施した構造とすることで、スポンジ製たわしのように脂分、粘り成分が内部に浸透することがなく、少量の洗剤で汚れを落とすことができる。また、表面に施した凹凸４によって脂汚れや粘り汚れを効率よく取り除くことができる。【選択図】図１
2014000289.tif 000002
【特許請求の範囲】
【請求項１】
指を挿入する筒状部（１）と掌に接した状態で食器類を洗うことのできる平面部（２）から成る一体構造を特徴とし、表面に波状、ジグザグ状、イボ状等の凹凸（４）を有し、伸縮に優れた軟質ゴム又はそれに準ずる素材を使用したゴムたわし。
【発明の詳細な説明】
【技術分野】
【０００１】
本発明は、食器類を洗う際に使用するゴムたわしに関するものである。
【背景技術】
【０００２】
従来、食器類を洗う際には素手で洗う以外に、ゴム手袋、スポンジたわし、亀の子たわし、金属たわし等を使用するのが一般的であった。
【先行技術文献】
【特許文献】
【０００３】
【特許文献１】特開２００７−２４４５５５
【発明の概要】
【発明が解決しようとする課題】
【０００４】
食後の食器類を洗う際に、多くの場合脂汚れを伴うため、洗剤を使用することが一般的である。その場合、洗う物によっては、スポンジたわし、亀の子たわし、金属製たわし等で適切に使い分けることが必要である。食器類の中でも、漆器製品、プラスチック製品等の柔らかな材質のものは微細なキズが付き易いので、柔らかなスポンジたわし等を使うことが多い。
しかし、スポンジたわしを使用する場合に於いて、酷い脂汚れや納豆、オクラ、ヤマイモ等の粘り汚れを落とす場合に、スポンジたわし自体が汚れを吸収してしまい、多量の洗剤を必要としたり、粘りが取れにくいといった難点がある。
洗浄の際にゴム手袋をすることについては、洗剤を使っていても素手から脂分が奪われることがなく、手荒れを防いでくれる利点があるが、着脱が面倒だったり、手が蒸れたり、食器からの触感が伝わってこないので、洗い残しに気付きにくいといった難点がある。
【課題を解決するための手段】
【０００５】
軟質のゴム素材を使用し、指を挿入する筒状部（１）と掌に接した状態で食器類を洗うことのできる平面部（２）から成るゴムたわしで、表面全体にかけて、波状、ジグザグ状、イボ状等の凹凸（４）を施した構造とする。
【発明の効果】
【０００６】
軟質のゴム素材を使用しているので、脂分、粘り成分がスポンジ製のたわしのように内部に浸透することがないので、少量の洗剤で落とすことができる。また、表面に施した凹凸（４）によって、粘りや滑りを効率よく取り除くことができる。
指を筒状部（１）に挿入して使用するので、たわしを手で持つ必要がなく、ゴム手袋のような着脱の面倒も、手の蒸れも、また、全ての指を筒状部（１）に挿入しないので、挿入していない指に食器類の触感が伝わり、洗い残しがなくなる。
手荒れが気になるようであれば、軟質ゴム素材を使用しているので、４本の指を筒状部（１）に挿入して使用することもできる。
【図面の簡単な説明】
【０００７】
【図１】本発明の斜視図である。
【図２】本発明の使用例を表した図である。
【発明を実施するための形態】
【０００８】
以下、本発明を実施するための形態について説明する。
形状の特徴として、指を挿入して使用するたわしであるため筒状部（１）を設けてあり、掌で食器類を洗う平面部（２）とから成る一体構造である。また、使用後に洗い場のフック等に引っ掛けておけるように、ホルダー穴（３）を設けてある。汚れを取り去る効率を高めるため、表面は波状、ジグザグ状、イボ状等の凹凸（４）面となっている。（図１参照）
使用方法としては、中指、薬指を筒状部（１）に挿入して、平面部（２）を掌に接するようにゴムたわしを装着して使用する。また、親指以外の全ての指を筒状部（１）に挿入しての使用も可能である。（図２参照）
材質に関しては、伸び縮みに優れた軟質のゴム製、またはそれに準ずる性質のものが想定される。具体的には軟質シリコーンゴム等の優れた伸縮性、耐熱性のゴムが望ましい。
【符号の説明】
【０００９】
１  筒状部
２  平面部
３  ホルダー穴
４  凹凸
【図１】
2014000289.tif 000003
【図２】
2014000289.tif 000004
(57)【要約】      （修正有）【課題】丈の長いタオルであっても、手、足、体の前部を洗う時に、片手に持つ適度の大きさに折り畳み、扱いやすい長さにでき、背中を洗う時には、背中を洗うのに適当な長さと形状にできるタオルを提供する。【解決手段】ボデータオルの丈の両端を幅一杯に渡る輪２に形成して輪２の両端を開口し、この開口部４を除くタオルの幅の左右側縁を結合してタオル本体１を筒状にし、丈の両端の輪２に紐を挿通して、突合せになっている左右開口部４から覗く紐３の両端を結合し、紐３を環状にした。【選択図】図１
2014000359.tif 000002
【特許請求の範囲】
【請求項１】
ボデータオルの丈の両端を幅一杯に渡る輪に形成して輪の両端を開口し、この開口部を除くタオルの幅の左右側縁を結合してタオル本体を筒状にし、丈の両端の輪に紐を挿通して、突合せになっている左右開口部から覗く紐の両端を結合し、紐を環状にしたボデータオル。
【請求項２】
ボデータオルの丈の両端を幅一杯に渡る輪に形成して輪の両端を開口し、この開口部及び巾の左右側縁が突合せになるようにして丈の両端の輪に紐を挿通し、この開口部から覗く紐の両端を結合して紐を環状にしたボデータオル。
【発明の詳細な説明】
【技術分野】
【０００１】  この発明は使い易い構造のボデータオルに関するものである。【０００２】  従来、入浴して体を洗う場合は、ボデータオルを適当の大きさに畳んで、手、足、体の前部を洗い、次にタオルを伸ばして丈の両端を左右の手で束ねて握り持ち、背中に斜めに当てて、両手を上下に動かしながら擦り洗っている。
【発明の開示】
【発明が解決しようとする課題】
【０００３】  本発明はボデータオルで背中を洗う場合、タオルの丈の両端を左右の手で束ねて握り持ち、背中に斜めに当てて洗うが、近年若人の身長が伸びて背中の丈も長くなる傾向があるので、従来のタオルの丈の長さでは背中を擦るのに足りない状況があり、タオルの丈を長くして欲しいと云う要望がある。【０００４】  従来ボデータオルは、大体丈９０センチ、幅３０センチ前後のものが平均的であるが、この丈を要望に沿うように長くし、丈１２０センチ位のものも市場にあり、この要望に沿う程丈を長くした場合は、手、足、体の前部を洗う時に、タオルを片手に持つ適度の大きさに折る場合に、折り畳みにくく手間がかかると云う問題が生じる。
【問題を解決するための手段】
【０００５】  この発明は上述の問題を解決して、タオルの丈を、手、足、体の前部を洗う時に適度に折り畳み易い長さにして、背中を洗うのに不足として要望される長さを、タオルに付設した紐を両手の指に掛けて互いに反対方向に引くと、瞬時に紐が伸びて補い気持ちよく十分に背中を洗えるようにしている。
【０００６】  其の構造は、図１において、タオルの丈の両端を幅一杯に渡る輪に形成して輪の両端は開口し、タオルの幅を二つ折りにして、丈の両端の輪の開口部を除くタオルの幅の左右側縁を結合してタオル本体を筒状に形成し、丈の両端の輪に紐を挿通して、開口部から覗く紐の両端を結合して紐を環状にし、この環状の紐の一部が開口部から覗くようにしている。
【０００７】  このタオルを適当に折って、手、足、体の前部を洗い、次にタオルを伸ばして、丈の両端の輪の開口部から覗いている紐を、左右の手の指に掛けて互いに反対方向に引くと、紐が引き出されて伸び幅が絞られて、タオルは背中に縦斜めに当てて気持ちよく十分に洗える長さと形状になる。
【０００８】  又、図２は幅の左右側縁を結合せずに開放しているが、使用の仕方も効果も左右側縁を結合したものと同じである。
【発明の効果】
【０００９】  本発明は以上説明したように構成されているので、以下に記載されるような効果を奏する。
このタオルを使用する時は、タオルを適当な大きさに折って片手に持ち、手、足、体の前部を洗い、次にタオルを伸ばして、丈の両端の輪の開口部から覗いている紐を、左右の手の指に掛けて互いに反対方向に引くと、図３に示すように紐が引き出されて伸びタオルの幅が絞られて、背中に縦斜めに当てて擦るのに適度の長さと形状になり、気持ちよく十分に背中を洗うことができる。
【００１０】  又、紐で丈の長さを補って生地の長さを短くできるので、体の前部を洗う時にタオルを折り畳む場合も容易で、生地の丈を短くする分、生産コストを安くすることができる。
【００１１】  そして、両端を紐で絞るのでタオルが膨らみ、背中に当たる感触がよく両端を両手で束ねて握り持つよりも、更に気持ちよく背中を洗うことができる。
【００１２】  そして、少し体が不自由で握力が弱い人や、年少者でタオルの両端を束ねて握り持つことが不得手な人でも、紐を指に掛けて引けばよいので楽に背中を洗うことができる。そして絞られた部分を軽く拡げると元の形に戻る。
【発明を実施するための最良の形態】
【００１３】  以下本発明の実施の形態を図面に基づいて説明する。【００１４】  １はボデータオル本体である。２，２はタオル１の丈の両端を幅一杯に渡る輪に形成した部分である。４，４，４，４は輪２、２の両端を開口した部分である。３′、３′は輪２、２に挿通した紐で、開口部４，４，４，４から覗く紐３′、３′の両端を結合して紐を環状にしている。３，３は輪２，２に挿通して環状にした紐３’３’が、開口部４，４，４，４から覗いている部分である。６は図１に於いて、幅の左右側縁を結合した部分５を結合せず開放した場合の左右側縁である。
【図面の簡単な説明】
【００１５】
【図１】  本発明ボデータオルの平面斜視図
【図２】  本発明ボデータオルの幅の左右側縁を結合せず開放した図
【図３】  本発明ボデータオルで背中を洗う場合のタオルの持ち方を示す図
【図４】  従来のボデータオルの丈の両端を束ね持って背中を洗う状態を示す図
【符号の説明】
【００１６】      １        ボデータオル本体
２        輪
３′      輪に挿通した紐
３        開口部から覗いている紐
４        開口部
５        輪の開口部を除く幅の両側縁を結合した縫い線
６        タオルの幅の、開放した左右側縁
【図１】
2014000359.tif 000003
【図２】
2014000359.tif 000004
【図３】
2014000359.tif 000005
【図４】
2014000359.tif 000006
(57)【要約】      （修正有）【課題】従来の応援用団扇は、色、文字、写真、似顔絵、等でアピールするだけで、動きが無く、ものたりなかった。【解決手段】扇面１に小窓を開け、そこに小さな円盤（回転子）を付け、団扇を動かして回転子２を揺らしたり、回転させることにより、アピール度を上げることができる。【選択図】図２
2014000360.tif 000002
【特許請求の範囲】
【請求項１】
扇面の中に小窓を開け、それに小さな円盤（回転子）を取り付け、アピール効果を高めることを特徴とした団扇
【発明の詳細な説明】
【技術分野】
【０００１】    この発明は競技、芸能等の応援グッズとしての団扇の形状に関する。
【背景技術】
【０００２】    従来の応援用の団扇としては、扇面に文字を書いたり、写真、似顔絵等を貼りアピールするものが多かった。
【発明の概要】
【発明が解決しようとする課題】
【０００３】    しかしながら、以上の技術によれば、扇面の色、文字、写真、似顔絵等でアピールするだけで物足りなさを感じた。
そこで、この発明は、扇面に加工を施しアピール度を高めることが出来る団扇を提供することを課題とする。
【課題を解決するための手段】
【０００４】    以上の課題を解決するために、第一発明は扇面に小窓を開け、そこに回転する円盤（回転子）を取り付け、自然の風、団扇を動かせたときの風によって回転子が揺れたり回転し、従来の団扇に動きを加え、アピール度を高めることができることを特徴とする応援用団扇である。
【発明の効果】
【０００５】    扇面に回転する円盤（回転子）がついたので、従来の応援用団扇に動きが加わり、アピール度が高められる。
【図面の簡単な説明】
【０００６】
【図１】この発明の一実施形態を示す平面図である。
【図２】図１の断面図である。
【図３】図１の骨組及び組立図である。
【発明を実施するための形態】
【０００７】    この発明の一実施形態を、図１にしめす。
団扇の本体１は、骨組はプラスチックであり、表面は紙が貼られている。この本体の中に小窓を開け、そこに絵の付いた回転子（小さな円盤）２が設けられている。
【０００８】「実施形態の効果」
この実施形態によれば、団扇の中に風により揺れたり、回転する小さな円盤（回転子）が付いたので、応援用団扇のアピール度が高められる。
【０００９】「他の実施形態」
図１の実施形態では丸いプラスチック製団扇であったが、他の実施形態では、材料、大きさ、等、自由で扇面に小窓を開け、回転する小さな円盤（回転子）が付いた物であればかまわない。回転子が複数のものでも良い。
【符号の説明】
【００１０】１  団扇本体
２  回転子
【図１】
2014000360.tif 000003
【図２】
2014000360.tif 000004
【図３】
2014000360.tif 000005
(57)【要約】【課題】装置の装着が隠れた状態で耳の前上の皮膚を上に引張り上げた状態を維持し顔のたるみや皺を少なく見せる。【解決手段】左右の耳の上方かつ前方の皮膚を引き上げる為に粘着部材を両耳周辺に粘着面で固定する。さらにその両方の粘着部材を髪を避けて頭皮に沿った状態で緩まないように繋ぐ繋ぎ部材がある。繋ぎ部材は装着前は緩んだ状態または、繋がっていない状態であり、装着後に自分の顔のたるみを自分の好きな状態になるように引張り加減を調節できる装置を付ける、または長さを調節した状態に繋ぐことができる。繋ぎ方、または引張り加減を調節できる装置の数、つける位置、装置の種類は多種考えられる為、特定していない。粘着部材はもみあげで人目に付かず、繋ぎ部材は髪の毛で隠れるので装着していることが、人に気がつかれない。【選択図】図１
2014000352.tif 000002
【特許請求の範囲】
【請求項１】
左右の耳の上方かつ前方の皮膚を引き上げる為に粘着部材を両耳周辺に粘着面で固定する。さらにその両方の粘着部材を髪を避けて頭皮に沿った状態で緩まないように繋ぐ繋ぎ部材がある。繋ぎ部材は装着前は緩んだ状態または、繋がっていない状態であり、装着後に自分の顔のたるみを自分の好きな状態になるように引張り加減を調節できる装置を付ける、または長さを調節した状態に繋ぐことができる。繋ぎ方、または引張り加減を調節できる装置の数、つける位置、装置の種類は多種考えられる為、特定していない。粘着部材はもみあげで人目に付かず、繋ぎ部材は髪の毛で隠れるので装着していることが、人に気がつかれない。
【発明の詳細な説明】
【発明の概要】
【発明が解決しようとする課題】
【０００１】
耳の上方かつ前方の皮膚を上に引張り上げた状態を維持し顔のたるみや皺を少なく見せるたいが、装置自体は見えないところに装着したい。
【課題を解決するための手段】
【０００２】
左右の耳の上方かつ前方の皮膚を引き上げる為に粘着部材を両耳周辺に粘着面で固定する。さらにその両方の粘着部材を髪を避けて頭皮に沿った状態で緩まないように繋ぐ繋ぎ部材がある。繋ぎ部材は装着前は緩んだ状態または、繋がっていない状態であり、装着後に自分の顔のたるみを自分の好きな状態になるように引張り加減を調節できる装置を付ける、または長さを調節した状態に繋ぐことができる。繋ぎ方、または引張り加減を調節できる装置の数、つける位置、装置の種類は多種考えられる為、特定していない。粘着部材はもみあげで人目に付かず、繋ぎ部材は髪の毛で隠れるので装着していることが、人に気がつかれない。
【発明の効果】
【０００３】
耳の上方かつ前上の皮膚を上に引張り上げた状態を維持でき顔のたるみや皺が少なく見え、さらに装置自体は見えない。
【図面の簡単な説明】
【０００４】
【図１】請求項1の説明図面である。
【符号の説明】
【０００５】
A 粘着部材
C 繋ぎ部材
D 引張り加減を調節できる装置
【図１】
2014000352.tif 000003
(57)【要約】      （修正有）【課題】ファスニングテープの使用時に於ける破損の防止とファスニングテープの取り回しの自由度を上げ、より体にフィットする使い捨ておむつを提供する。【解決手段】ファスニングテープのテープつまみとそれよりも面積の広い連結部を一体化させ、且つファスニングテープの上下を分離独立させ、おむつ本体との接着面積を増大させると同時にファスニングテープの取り回しの自由度を上げることにより、ファスニングテープをフロントテープ１２に固定する際に装着者が上下のファスニングテープを適正箇所にしっかりと固定することができ、おむつをより体にフィットさせることができる。【選択図】図１
2014000362.tif 000002
【特許請求の範囲】
【請求項１】
ファスニングテープと連結部を一体化させ、おむつ本体に上下の新型ファスニングテープ接着面分離型１３を別々に取り付けることにより、ファスニングテープ接着面の接合面積を高めファスニングテープの引きちぎれる問題を解決し、且つファスニングテープの取り回しの自由度を上げることができるおむつ。
【請求項２】
ファスニングテープと連結部を一体化させ、新型ファスニングテープ接着面一体型１４を取り付けることにより生産工程を簡略化し（４枚でなく２枚の新型ファスニングテープをつけることにより作業工程を簡略化できる。）、ファスニングテープ接着面の接合面積を高めると同時にファスニングテープの引きちぎれる問題を解決し、且つファスニングテープの取り回しの自由度を上げることができるおむつ。
【請求項３】
圧着方法イ  バックシートを新型ファスニングテープの根元で表と裏側から挟み込み圧着する方法
【請求項４】
圧着方法二  新型ファスニングテープの根元を複数枚あるバックシートで挟み込みを圧着する方法
【発明の詳細な説明】
【技術分野】
【０００１】本発明は、おむつのファスニングテープの使用時に於ける破損の防止とファスニングテープの取り回しの自由度を上げ、より体にフィットさせるためのるおむつに関する。
【背景技術】
【０００２】従来のおむつのファスニングテープ６は、図１のタイプ１，タイプ２，タイプ３に分類される。タイプ１はおむつの発展に於いて最も初期に採用されたモデルであるが、おむつ本体１０に接合しているファスニングテープ接着面９が小さいため（６平方センチから１２平方センチ）、ファスニングテープ６を本体前面のフロントテープ１２に取り付ける際、或は、使用時に引きちぎれるトラブルが多かった。【０００３】これらの問題を解決するためそのため図１のタイプ２，タイプ３が考案された。タイプ２は、テープつまみ７と連結部８が一体化することにより本体とのファスニングテープ接着面９を拡大させ（約９０平方センチ）ファスニングテープ６としての機能を果たす連結部８が引きちぎれトラブルを解消した。【０００４】タイプ３のおむつはファスニングテープ６をおむつ本体１０に取り付けるのでなくおむつ本体１０とテープつまみ７を一体整形することによりファスニングテープ６が引きちぎられるトラブルを解消した。
【発明の概要】
【発明が解決しようとする課題】
【０００５】上記のようにおむつの製造にあたり各社は、ファスニングテープが引きちぎれないようにデザインを改良してきたが、考案されたタイプ２やタイプ３の欠点はタイプ１のファスニングテープ６に比べて、取り付ける角度や方向性に於いて自由度が制限されることにある。連結部８或は、おむつ本体からテープつまみ７の先端までの距離が短いため（約４５ミリ）、テープつまみ上下の可動範囲は必然的に制限される。従って、ファスニングテープ６を図１のフロントテープ１２に取り付ける際に思うように自由な位置に取り付けることができない。
【課題を解決するための手段】
【０００６】図１の本発明品は、テープつまみ７と連結部８を一体化させファスニングテープ接着面９を拡大させることにより、ファスニングテープ接着面９が引きちぎれる問題を解決すると同時に、ファスニングテープ上部１１とファスニングテープ下部１１を別々につけることによって、結果的にファスニングテープ６の首の長さを最大限に長くすることができる。その結果、それぞれに取り付け角度や方向性に自由度を増すことができおむつをより体にフィットさせることができるようにした。【０００７】新型ファスニングテープ１は接着面分離型１３と接着面一体型１４の２種類がある。接着面一体型１４は製造工程を簡略化（４枚でなく２枚の新型ファスニングテープ１を取り付ければ良い。）させることができると同時に引っぱりの力に対してより大きな接着力を発揮できる。
【図面の簡単な説明】
【図１】は、ファスニングテープの取り付け方の違いによるおむつの違いを記載した。
【図２】は、新型ファスニングテープ接着面の形状の違いと新型ファスニングテープのおむつ本体への接着方法を記載している。上下の新型ファスニングテープの接着面が分かれているものを接着面分離型、上下の新型ファスニングテープの接着面がつながっているものを接着面一体型である。
【符号の説明】１  新型ファスニングテープ
２  ギャザー部
３  吸収帯
４  バックシート
５  マジックテープ
６  ファスニングテープ
７  テープつまみ
８  連結部
９  ファスニングテープ接着面
１０  おむつ本体
１１  新型ファスニングテープ
１２  フロンとテープ
１３  接着面分離型ファスニングテープ
１４  接着面一体型ファスニングテープ
【図１】
2014000362.tif 000003
【図２】
2014000362.tif 000004
(57)【要約】【課題】包丁の柄（持ち手）に凸部（突起部）を設けた包丁を提供する。【解決手段】包丁（１）の柄（持ち手）（２）に凸部（突起部）を設けた、指圧効果のある包丁を特徴とする。【選択図】図１
2014000366.tif 000002
【特許請求の範囲】
【請求項１】
包丁（１）の柄（持ち手）（２）に凸部（突起部）（３）を設け、この柄（持ち手）を握ることにより、手の平や指のツボを刺激できる包丁。
【発明の詳細な説明】
【技術分野】
【０００１】  この発明は、包丁の柄（持ち手）に凸部（突起部）を設けた、包丁を握るだけで指圧ができる包丁に関するものである。【０００２】  従来、包丁を握るだけでは、指圧はできなかった。
【発明の開示】
【発明が解決しようとする課題】
【０００３】  これは、次のような欠点があった。
ただ、包丁を握るだけでは、手の平や指にあるツボを刺激できない。本発明は以上のような欠点をなくすためになされたものである。
【課題を解決するための手段】
【０００４】  包丁（１）の柄（持ち手）（２）に凸部（突起部）（３）を設ける。
本発明は、以上の構成によりなる指圧効果のある包丁である。
【発明の効果】
【０００５】  包丁の柄（持ち手）にある凸部（突起部）を握ることによって、手の平や指にあるツボを刺激することにより身体の健康維持やボケ防止などの予防ができる。
【発明を実施するための最良の形態】
【０００６】  以下、本発明を実施するための最良の形態について説明する。
包丁（１）の柄（持ち手）（２）に凸部（突起部）（３）を設ける。
本発明は、以上のような構造である。
この包丁の柄（持ち手）を握ることによって、手の平や指のツボを刺激し、健康器具として利用できる。
【図面の簡単な説明】
【０００７】
【図１】  本発明の斜視図である。
【図２】  包丁を使用する際に柄（持ち手）を握ることにより、指圧効果がある。
【符号の説明】
【０００８】    １  包丁
２  柄（持ち手）
３  凸部（突起部）
【図１】
2014000366.tif 000003
【図２】
2014000366.tif 000004
(57)【要約】      （修正有）【課題】折れ線形成用の溝の生産性を向上する。【解決手段】必要溝深さに対応した板材（主に鉄製高硬度鋼板）に溝幅、長さに対応して、全部位又は一部位を、くり貫いて製造する。くり貫き加工という発想の下、その製造方法を切削から切断に変える事により、加工速度を速くする事を可能ならしめ、生産性向上の目的が達成出来る。【選択図】図−１
2014000665.tif 000002
【特許請求の範囲】
【請求項１】
打抜き用雌型の製造において、要求される折れ線形成用溝（以降溝と云う）を作成するに当たり、要求溝深さを満足する厚さの板に必要とされる溝形状をくり貫いて得る方法。
【発明の詳細な説明】
【発明の詳細な説明】
【産業上の利用分野】
【０００１】  本発明は例えば、段ボール、板紙又は樹脂フィルムの折れ線溝をプレス押圧加工工程で成形使用する型に関するもので、裁断と折れ線形成の両機能を併せ持つ雌型の溝の製造方法に関するものである。
【背景技術】
【０００２】  従来の折れ線用溝の製造方法は切削（彫刻とも云う）加工が一般的である。【０００３】  溝深さは切削加工深さを持ってするのが一般的である。【０００４】  上記から生産性は、現状製造が切削加工方法で有ることから、切削加工の条件に比例した結果となる。
生産性の向上を目指す時、上述製造方法が持つ条件が重要な要因となっている。
上述により、従来製造方法ではその製造方法が持つ生産性要因を超えた生産性は望めないという大きな問題を抱えている。
【発明が解決しようとする課題】
【０００５】  上記説明でも明らかなように、上記公知の製造方法が抱えている、生産性の限界問題を解決することにある。
【０００６】  本発明は、上記の問題点を解決するためになされたもので、雌型の溝製造方法の限界を突破ならしめる一つの方法として、切削（彫刻とも云う）製造から切断製造方法に変更した、製造方法とその結果得られた雌型を提供することに有る。
【課題を解決するための手段】
【０００７】  上記課題を解決するために、本発明は、板状の材料の一部（溝型部位）をくり貫いて得る事を特徴とする。
【０００８】  くりぬき加工は切削加工でも可能であるが、主に切断を目的とした装置、例えばレーザーカット加工機等、を利用した加工で得る事を特徴とする。
【０００９】  溝深さは板厚を選択することで可能とする事を特徴とする。
【発明の効果】
【００１０】  例えばレーザー加工の場合、切削加工に比べ、加工速度が速いことから生産性が向上し、同時に費用の削減の可能性が増大する。
【００１１】  加工形状、材質（鋼板）の選択条件も自由度が高い事から加工性が容易となる。
【００１２】  溝深さは材料の厚さで可能な事から、材料費の削減と品質保証が容易になり、直接、間接的に原価削減が可能となる。
【００１３】  使用材は高硬度鋼材を利用することが多く、切削加工では、結果として難易度の高い加工が要求されるが、例えばレーザーカット加工機による切断加工の場合は、それらからから解放され、加工性が向上し、管理費用の削減に反映できる。
【００１４】  溝の切断面の仕上がり品質を一定に保つ事が比較的容易に実現できる事から、仕上げ又は検査費用の削減に結びつけられる。
【実施例】
【００１５】  本発明による加工例を図を参照しながら説明する。【００１６】  ［図−１］は、くり貫き加工と切削（彫刻）加工による例を示している。
【図面の簡単な説明】
【００１７】
【図−１】は雌型を雌型取り付け盤面に装着した状態を示している。
【符号の説明】
【００１８】  ▲１▼雌型              ▲２▼雌型取付け盤        ▲３▼くり貫き加工断面
▲４▼切削加工断面      ▲５▼（折れ線形成）溝
【図−１】
2014000665.tif 000003
(57)【要約】      （修正有）【課題】本や名刺をめくる動作を楽に行える指先湿潤装置を提供する。【解決手段】樹脂製外装１内に含水した薄型の水分保持吸水材４を内包し、樹脂製外装１に指先湿潤穴を設け、指先湿潤穴を剥離可能な粘着テープ等の粘着材でシールした指先湿潤装置である。【選択図】図１
2014097647.tif 000002
【特許請求の範囲】
【請求項１】
樹脂製外装内に含水した薄型の吸水材を内包し、上部および側部の指先湿潤穴を剥離可能な粘着テープ等の粘着材でシールし、樹脂製外装に上部および側部指先湿潤穴を設けたことを特徴とする指先湿潤装置。
【発明の詳細な説明】
【技術分野】
【０００１】  本発明は本や名刺をめくる動作を楽に行える指先湿潤装置に関する。
【背景技術】
【０００２】  従来は、プラスチック容器等に水を含ませたスポンジ等を入れた机上具や容器等をポケットに入れて携帯して使用するものしかなかった。
【先行技術文献】
【０００３】  指濡らしや紙めくり装置に関する特許および実用新案を下記にしめすが、何れも十分な利便性や効果を期待するものではない。
【特許文献１】特開２００３−０９５２７４号公報
【特許文献２】特開２００４−３１４５７７号公報
【特許文献３】特開２００３−１１８２６５号公報
【特許文献４】特開Ｈ１０−０２９３８８号公報
【実新文献４】
登録  第３１４７１２２号公報
【発明の概要】
【発明が解決しようとする課題】
【０００４】  従来の机上置き形容器は外出時、携帯には大きすぎて不向きである欠点があった。【０００５】  文献に紹介した携帯容器は携帯に適する工夫は施されているが、十分に効果を発揮するものではなかった。
【課題を解決するための手段】
【０００６】  上記問題点を解決するため本発明は、樹脂製外装内に含水した薄型の吸水材を内包し、指先湿潤穴を剥離可能な粘着テープ等の粘着材でシールし、樹脂製外装に指先湿潤穴を設けたことを特徴とする指先湿潤装置である。
【発明の効果】
【０００７】  本装置は薄型であることに加え、樹脂製外装上部および側部に指先湿潤用穴を配置することにより、名刺入れや本に挟んで携帯し、名刺交換や本のページめくりの際に指先を湿潤することで、指をなめずに清潔に使用できる。
【図面の簡単な説明】
【図１】本発明の指先湿潤装置全体図
【図２】本発明の指先湿潤穴シール図
【図３】本発明の指先湿潤装置を名刺入れに装着した図
【図４】本発明の指先湿潤装置を本に挟んだ図
【発明を実施するための形態】
【０００８】  樹脂製外装材は、ポリプロピレンなどの薄くて丈夫な樹脂が最適である。
【０００９】  指先湿潤穴のシールは水分の飛散を防止するが、剥がす場合は剥離し易い粘着テープやシール材を使用する。
【００１０】  樹脂製外装は名刺入れに収まるよう、１辺５５ｍｍ以下、他辺９０ｍｍ以下にすることが目的上望ましい。
【００１１】  水分を保持する吸水材は紙、布、フェルト、保水材等使用できるが１ｍｍ以下の薄いものが望ましい。
【００１２】  図２に示す湿潤穴シールの点線部（７）はシールの剥がし線で、樹脂製外装側に残ったシール厚み分で名刺入れ等を濡れにくくする効果を有する。
【００１３】  本発明の使用方法を詳しく説明する。
（イ）名刺を渡すのに使用する場合は、事前に側部湿潤穴（３）の側部湿潤穴シール剥がし部（７）のシールを剥がしておく。シールは全て剥がして樹脂製外装（１）に接着保持してもよく、裏側の半分程度まで剥がして折り曲げて保持してもいい。名刺（１０）を名刺入れ（８）から取り出すには、樹脂製外装（１）の左側を親指で押さえて側部湿潤穴内包の水分保持吸水材（４）で指先を濡らして行う。
（ロ）本（１１）を読むのに使用する場合は、事前に上部湿潤穴（２）の上部湿潤シール剥がし部のシールを剥がしておく。シールは全て剥がして樹脂製外装（１）に接着保持してもよく、裏側の半分程度まで剥がして折り曲げて保持してもいい。樹脂製外装（１）を本に上部湿潤穴（２）が出る程度挟み、上部湿潤穴内包の水分保持吸水材（４）で指先を濡らしてページを捲る。
【符号の説明】  １  樹脂製外層
２  上部指先湿潤穴
３  側部指先湿潤穴
４  水分保持吸水材
５  上部湿潤穴シール
６  側部湿潤穴シール
７  湿潤穴シール剥がし部
８  名刺入れ
９  名刺入れ内側蓋
１０  名刺
１１  本
【図１】
2014097647.tif 000003
【図２】
2014097647.tif 000004
【図３】
2014097647.tif 000005
【図４】
2014097647.tif 000006
(57)【要約】【課題】  従来の事務用クリップの外し方では、指または、事務用クリップ止め具等に付いている事務用クリップを引っかける溝部分と指を使って行うため、指に力が必要で、特に硬く綴じたクリップは、力の弱い使用者ではクリップを外しにくい。【解決手段】  外そうとする事務用クリップを事務クリップ外しで上下から挟みこみ、そのまま事務クリップ外しをスライドすることにより事務用クリップを簡単に外すことにした。  なお、事務クリップ外しには指に力が入りやすいように、ふくらみを持たせている。  また、外した事務用クリップが周りに飛ばないように、事務クリップ外しの側面に事務用クリップを受止める、受止め部を設けた。これにより、使用者の周りに不用意に飛んでいくことが無くなった。  さらに、外した事務用クリップを受止めるための受止め部に必要な隙間を設け、外した事務用クリップを簡単に事務クリップ外しの外に出すことができる。【選択図】図１
2014097648.tif 000002
【特許請求の範囲】
【請求項１】
事務用クリップを挟みこみそれを引っ掛ける、突起を設けたことを特徴とする事務クリップ外し。
【請求項２】
外した事務用クリップが周りに飛ばないように、受止め部を設けていることを特徴とする事務クリップ外し。
【請求項３】
外した事務用クリップを簡単に事務クリップ外しから外に出す、隙間を設けていることを特徴とする事務クリップ外し。
【請求項４】
指に力が入りやすくする、ふくらみを設けていることを特徴とする事務クリップ外し。
【発明の詳細な説明】
【技術分野】
【０００１】  本発明は、事務用クリップを簡単に外すための事務クリップ外しに関するものである。
【背景技術】
【０００２】  従来の事務用クリップを外す方法では、指で外すか、事務用クリップ止め具等に付いているクリップを外すための溝に、外す対象のクリップの片方をあて、クリップのもう片方は指で押え力を入れて外している。
【発明の概要】
【発明が解決しようとする課題】
【０００３】  従来の事務用クリップの外し方では、指または、事務用クリップ止め具等に付いている事務用クリップを外すための溝部分と指を使って行うため、指に力が必要で、硬く綴じた事務用クリップを外しにくい。【０００４】  本発明は、このような従来の問題を解決しようとするものであり、事務用クリップを外すことを容易にし、事務用クリップを使いやすくすることを目的とするものである。
【課題を解決するための手段】
【０００５】  そして、本発明は上記目的を達成するために、外そうとする事務用クリップを上下から挟みこみ、そのまま事務クリップ外しをスライドすることにより事務用クリップを簡単に外すことにしたものである。
なお、事務クリップ外しには指に力が入りやすいようにふくらみを持たせている。【０００６】  また、外した事務用クリップが周りに飛ばないように、事務クリップ外しには事務用クリップを受け止めるようにしている。さらに、外した事務用クリップを受止める部分に必要な隙間を設け、外した事務用クリップを簡単に事務クリップ外しの外に出すことにした。
【発明の効果】
【０００７】  上記したように本発明の事務クリップ外しは、硬く綴じた事務用クリップでも簡単に外すことが可能になり、今までのように指に力を入れたり、指を痛くする事がなくなり、事務用クリップの使いやすさの向上を図ることができる。【０００８】  指の力の弱い方、マニュキュア等で指を大切にしている方にも、本発明の事務クリップ外しの使用により、楽に事務用クリップが外せるようになる。さらに、外した事務用クリップを簡単に事務クリップ外しの外に出すことができる。【０００９】  事務用クリップの利用促進にも効果を発揮するものである。
【図面の簡単な説明】
【００１０】
【図１】  本発明の事務クリップ外しの斜視図
【図２】  同  正面図
【図３】  同  側面図
【図４】  同  平面図
【発明を実施するための形態】
【００１１】  以下、本発明の実施形態を図１〜図４に基づいて説明する。
【００１２】  図においては、１は事務用クリップを上下に挟む開口部で、事務用クリップを引っ掛ける突起２、常時開いておくための弾性体３、事務用クリップが周りに飛ばないようにする受止め部４、事務用クリップを事務クリップ外しから外に出す隙間５、指に力が入るようにするふくらみ６である。
【符号の説明】
【００１３】  １  開口部
２  突起
３  弾性体
４  受止め部
５  隙間
６  ふくらみ
【図１】
2014097648.tif 000003
【図２】
2014097648.tif 000004
【図３】
2014097648.tif 000005
【図４】
2014097648.tif 000006
(57)【要約】【課題】従来の加工された特殊生地の機能のみに頼った犬の服は、近年のような酷暑になるとその効果があまり発揮されなかった。【解決手段】犬の胸部を冷やす事によって、加工された特殊生地の機能だけでは足りなかった効果をより大きなものにし、熱中症等で死亡する犬の頭数を減らす事が可能となる。【選択図】図１
2014097046.tif 000002
【特許請求の範囲】
【請求項１】
犬の胸部を冷やす保冷剤を入れるポケット及び／又は保冷剤を取り付ける用具、及び／又は犬の胸部を冷やす扇風機を取り付けた事を特徴とする犬の服。
【発明の詳細な説明】
【技術分野】
【０００１】犬の胸部を冷やす事ができる犬の服を作る技術である。
【背景技術】
【０００２】従来の犬の服は特殊加工された生地の機能のみに頼っている。
【先行技術文献】
【０００３】
【特許文献】
【特許文献】特許第３４２３９４４号
【発明の概要】
【発明が解決しようとする課題】
【０００４】従来の熱を放出する等の特殊加工された生地の機能のみに頼った犬の服では近年の真夏の暑さには耐えられなく、機能として不十分であった。【０００５】本発明は、このような従来の特殊加工された生地の機能のみに頼った犬の服の問題を解決しようとするものであり、犬が熱中症になり死亡するのを、服を着ることで防ぐ事を目的とした技術である。
【課題を解決するための手段】
【０００６】犬の胸部を冷やすための、保冷剤（蓄冷剤）を入れるポケット等を取り付けた犬の服。犬の胸部を冷やすための保冷剤を張り付ける事ができる犬の服。犬の胸部を冷やすための保冷剤を縛る事ができる犬の服。【０００７】犬の胸部を冷やすための、電動式扇風機を取り付けた犬の服。【０００８】犬の胸部を冷やすための、電動式扇風機と、保冷剤を入れるポケット等を取り付けた及び／又は保冷剤を取り付ける事ができる犬の服。【０００９】保冷剤による冷やす効果が無くなった時に、電動式扇風機を稼働させることによって犬の胸部を冷やすことができる。犬に犬の服を長時間着せる場合には、保冷剤による冷却と扇風機による冷却を併用する事が有効である。【００１０】犬の胸部を冷やす保冷剤は、犬の服にポケットを取り付けて入れる事が出来る。又、犬の服の胸部に保冷剤を紐等で縛って固定する事も出来る。又、保冷剤に面ファスナーを付け、犬の服の胸部に面ファスナーを付けて固定する事も出来る。又、犬の服の胸部に保冷剤を接着して固定する事も出来る。【００１１】扇風機を動かす電源は、蓄電池、太陽電池、振動を用いた発電の電気、家庭用電気を利用出来る。
【発明の効果】
【００１２】犬の胸部を冷やす事ができる犬の服によって、真夏の昼間でも外に出なくてはならない盲導犬等の補助犬の熱中症等を防ぎ、盲導犬等の補助犬の健康を守る事が出来る。【００１３】夏場、夜中でも路面温度の下がらない都会では、路面からの輻射熱で、散歩後の犬が熱中症で死亡することが多い。犬の胸部を冷やす犬の服によって、死亡する犬の頭数を減らす事が出来る。
【図面の簡単な説明】
【００１４】
【図１】犬の胸部を冷やす、保冷剤（蓄冷剤）を入れるポケットを取り付けた犬の服。
【図２】犬の胸部を冷やす、蓄電池式扇風機を取り付けた犬の服。
【図３】犬の胸部を冷やす、蓄電池式扇風機と保冷剤を入れるポケットを取り付けた犬の服。
【発明を実施するための形態】
【実施例１】
【００１５】犬の体を入れる布を放熱効果のあるメッシュ生地で作り、胸部部分の布の内側に保冷剤を入れるポケットを２つ取り付けた犬の服。
【実施例２】
【００１６】犬の体を入れる布を綿生地で作り、胸部部分の布の外側に面ファスナーを取り付け、保冷剤に面ファスナーを取り付け、胸部部分の布と保冷剤を固定できる犬の服。
【実施例３】
【００１７】犬の体を入れる布を温調効果のある生地で作り、胸部部分の生地に紐を取り付け、その紐で保冷剤を胸部部分の生地に固定する事ができる犬の服。
【実施例４】
【００１８】犬の体を入れる布を断熱効果のある生地で作り、胸部部分に直径８センチ、プラスチック製の羽８枚の単３蓄電池２本で動く扇風機を取り付けた犬の服。
【実施例５】
【００１９】犬の体を入れる布を速乾効果のある生地で作り、胸部部分に直径８センチ、プラスチック製の羽２０枚の単３蓄電池２本で動く扇風機と保冷剤を入れるポケットを取り付けた犬の服。
【産業上の利用可能性】
【００２０】日本国内に居る犬種のほとんどは、ヨーロッパ原産の犬である。そのため、暑さにはとても弱い。犬の胸部を冷やす事によって、真夏の室内に居ても涼しい状態を保つことが可能である。
【符号の説明】
【００２１】Ａ  犬の服
Ｂ  保冷剤を入れるポケット
Ｃ  蓄電池式扇風機
Ｄ  保冷剤を入れるポケットと蓄電池式扇風機
【図１】
2014097046.tif 000003
【図２】
2014097046.tif 000004
【図３】
2014097046.tif 000005
【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
犬の胸部を冷やすための電動式扇風機を取り付けた犬の服。
【請求項２】
犬の胸部を冷やすための電動式扇風機と、保冷剤を入れるポケット等を取り付けた及び／又は保冷剤を取り付け、電動扇風機と保冷剤を併用する事ができる犬の服。
(57)【要約】【課題】特殊な用途に限定されて使用される高価な材料ではなく、多量に使用するような用途に用いられ、安価にブリーディングを低減できる混和材を有するモルタル用セメント系混合材料を提供することを目的とする。【解決手段】セメント１００重量部と、水と、細骨材２００〜４００重量部に、ブレーン比表面積７，０００ｃｍ２／ｇ以上の石灰石微粉末１０−２０重量部の混和材を混合することを特徴とするモルタル用セメント系混合材料、を提供する。【選択図】なし【特許請求の範囲】
【請求項１】
セメント１００重量部と、水と、細骨材２００〜４００重量部に、ブレーン比表面積７，０００ｃｍ２／ｇ以上の石灰石微粉末１０−２０重量部の混和材を混合することを特徴とするモルタル用セメント系混合材料。
【発明の詳細な説明】
【技術分野】
【０００１】
本発明は、モルタル用のセメント系混合材に関するものである。
【背景技術】
【０００２】
モルタルは、建設資材として広く一般に用いられている。そのうち、汎用的に用いられている１：３モルタル（モルタル配合比でセメント１に対する砂３の割合）は、通常、仕上げや高さ調整等に少量使用されるが、大量に使用すると、打設後の水分のブリーディングが生じる影響により、沈下やクラックの要因となることが多い。
【０００３】
ブリーディングの対策として、無収縮モルタルが開発されている。
例えば、特許文献１には、無収縮性を維持し、かつ増粘剤を使用しなくても、ブリーディング水及び骨材分離が生じないグラウト材について研究した結果、流動コークスとポリアルキルスルホン酸塩又はメラミンホルマリン樹脂スルホン酸塩とが、ある範囲で組み合わされているとき、ブリーディングや骨材分離を解決できることが開示されている。
【先行技術文献】
【特許文献】
【０００４】
【特許文献１】特開平０３−１９９２８５号公報
【発明の概要】
【発明が解決しようとする課題】
【０００５】
特許文献１に示すような無収縮モルタルは、一般に単位材料単価が高く、多量に使用するような用途には不向きであり、特殊な用途に限定されて使用される場合が多い。
【０００６】
本発明は、前記の問題点を解決するために、モルタル用混和材において、安価にブリーディングを低減できる混和材を有するモルタル用セメント系混合材料を提供することを目的とする。
【課題を解決するための手段】
【０００７】
本発明は、前記課題を解決するために、セメント１００重量部と、水と、細骨材２００〜４００重量部に、ブレーン比表面積７，０００ｃｍ２／ｇ以上の石灰石微粉末１０−２０重量部の混和材を混合することを特徴とするモルタル用セメント系混合材料を提供する。
【０００８】
かかるモルタル用セメント系混合材料を採用すると、ブリーディングが低減され、沈下やクラックの発生を抑制することが可能となる。
【発明の効果】
【０００９】
本発明のモルタル用セメント系混合材料によれば、石灰石微粉末をセメントに添加することで、安価に沈下やクラックの要因となるブリーディングを低減することができる。
【発明を実施するための形態】
【００１０】
以下、本発明の実施形態について説明する。
石灰石微粉末は、混和材ではあるが、ポゾラン反応はしないのでポゾラン反応粒子（ポゾラン材）ではない。石灰石微粉末の初期強度発現効果は、高炉スラグ微粉末やフライアッシュなどの初期強度発現効果に比較して大きいために、セメントの一部の代わりに石灰石微粉末を添加しても、それを補なう程度に初期強度を発現することができる。つまり、セメントの配合量を石灰石微粉末に置き換えることができるので、単位セメント量を低減することができ、セメントの種類を変更することなく初期強度を確保することができる。
【００１１】
また、石灰石微粉末の粒径は、セメント粒子よりも小さいので、石灰石微粉末の粒状形状は球体に近く、ベアリング効果により、ブリーディング発生の要因となる単位水量を低減しても、効率的に流動性の維持を図ることができる。さらに、ふつうポルトランドセメントのブレーン比表面積は、一般に３，５００ｃｍ２／ｇ程度であり、本実施形態で使用する石灰石微粉末の比表面積は２倍程度と大きいため、セメントと比べ保水効果が高く、ブリーディング低減効果に寄与している。
【００１２】
以下に、本発明に係る実施例を示すが、本発明は係る実施例に何ら限定されるものではない。表１に、石灰石微粉末の材料成績表を示す。また、表２に、石灰石微粉末を添加しないモルタルの配合、表３に、石灰石微粉末を添加したモルタルの配合をそれぞれ示す。水セメント比は、表２及び表３ともに、６０．４％である。
【００１３】
【表１】
2014097899.tif 000002
【００１４】
【表２】
2014097899.tif 000003
【００１５】
【表３】
2014097899.tif 000004
【００１６】
本実施例は、ＪＳＣＥ−Ｆ  ５２２−２００７の試験方法に基づき、ブリーディング率の測定試験を実施した。
ブリーディング率の測定結果を表４に示す。石灰石微粉末を添加したモルタル配合については、無添加のモルタル配合と比較して明らかにブリーディング率が低くなるという結果を得た。 
【００１７】
【表４】
2014097899.tif 000005
(57)【要約】【課題】本発明は例えば、焼き鳥屋や居酒屋等店舗または花見、ピクニック旅行等、行楽に出掛け野外屋内等で、焼き鳥、串焼き物、和菓子団子等、串に刺して有る物を食する際、子供や女性等が串から直接口に運んで、安全かつ簡易にまた見栄え良く、口や顔面、手指など汚さず食する事が出来る為の、陶器及び合成樹脂パックで構成された串引き皿を提供することを課題とする。【解決手段】焼き鳥や串焼き類または和菓子団子等、串に刺して有る物を提供する際、当該食物を乗せる陶器皿、または合成樹脂パックの縁を高く形成し、縁にＵ字型切込みを２ないし４設置する事により、設置された切込みに串下辺の食物を、陶器皿又は樹脂パックの縁内側に落とし込む様串を挿入し、串下辺の食物を陶器皿または合成樹脂パックの縁内壁に当該食物を密接させ、串を縁外側に引く事で当該食物が串先端に押し出され、安全かつ便利に食する事が出来る。【選択図】図１
2014097270.tif 000002
【特許請求の範囲】
【請求項１】
焼き鳥及び串焼き類又は和菓子団子を提供する際  陶器又は合成樹脂等で形成され、皿本体の縁を底部から３ｃｍ以上高く立ち上げ当該縁にＵ字型切込みが配置された串引き皿。
【請求項２】
陶器又は合成樹脂等で形成され皿の縁が中心より、左側が８０度外方向に傾斜し右側が１００度外方向に傾斜した皿、又は縁を垂直に形成し、縁長手片側に２両側で４のＵ字型の切込みを、中心から両端よりに配置された事を特徴とする串引き皿。
【請求項３】
陶器又は合成樹脂等で形成され皿の縁長手片側に２又は両側で４、Ｕ字型の切込みを配置しＵ字切込みの深さを１ｃｍ備えＵ字の落とし込み口は湾曲に形成された事を特徴とする串引き皿。
【発明の詳細な説明】
【技術分野】
【０００１】本発明は例えば、焼き鳥屋居酒屋又は野外や屋内で焼き鳥や和菓子団子を食する際箸や串等を使用せず、刺している串のみで口角を汚す事無く上品に食する為、好適に用い得る串引き皿又は合成樹脂性包装パックに関する。
【解決しようとする課題】
【０００２】例えば焼き鳥屋又は居酒屋等で、串に刺して有るものを食する際に通常は手指で串の下方を持ち上辺から食して行くが、串下辺を食する際に大きく口を開ける事も憚られ、女性等は口唇を汚さぬよう皿上で串や箸等を用いて串から引き抜き食している。また行楽に出掛け野外で、焼き鳥や和菓子団子の串下辺を食する際は、串下方を手指で保持し串を横に傾け、口唇で咥え串先端にスライドさせ串から引き抜き食しているが、大きく口を開き顔を歪め、特に女性等は外見上見栄えが良い物では無く人前で食するのも躊躇う。また子供が食する際安全とは言えない。
【背景技術】
【０００３】公報特開２００７−０７５５６０に表示された物も有る
しかし乍ら前記公報皿は、切込み部がＶ字型に構成されて有り
Ｖ字切込み底部に、食物や串が擦れて落ちるカスが付着し不衛生なだけでなく洗浄も容易では無い。又洗浄時に手指を傷つける恐れも有り好適とは言えないまた皿底部の構造も複雑で実用的では無い。
【課題を解決する為の手段】
【０００４】この発明は前記の課題を解決する為の物であり請求項１記載の皿の縁を高く形成しＵの字に切込みを設定し、串を落とし込み皿の縁内部に串に刺して有る食物を密接させ串を引く事で、串先端に食物を移動し食し易くする事を見出した。
【０００５】本発明は知見に基づき成された物であって、請求項２記載の皿の縁を左側８０度右側１００度又は垂直に形成し、Ｕ字型の切込みを設定する事で、焼き鳥の肉汁やタレが零れテーブルや衣類を汚さず容易に串を引くため角度をつけたものである。
【０００６】請求項３記載の、皿の縁長手片側に２又は両側４のＵ字型切込みは落とし込み口を湾曲に間口を広く形成する事により、挿入が簡便で串の太さも柔軟に対応出来るよう構成されたものである。縁長手片側にＵ字型切込みを２又は両側４設定してあるが、近年利き腕が左利きの人も増加し、左右どちらからでも串引きが出来るよう考案されたものである。また切込みの深さを１ｃｍとして切込みの最深部より皿底部迄２ｃｍ以上の縁を設置する事により、大きな焼き物にも対応出来る様構成されている。
【発明の実施】
【０００７】以下図面１に示した例に従い本発明を具体的に説明すれば、図１の陶器本体Ａに縁長手Ｂ及び縁長手Ｃの中心より縁横手Ｄ，Ｅ，寄りにＵ字型切込みａを２及び４か所配置し、図１の縁長手Ｂに設置されたＵ字型切込みａに焼き物串ｂを落とし込み、縁長手Ｂの内壁に焼き物串ｂの食物を密接し、焼き物串ｂを手前に引く事により構成された要件を満たし得る事が出来る。
【０００８】また図４及び５、６に示されるように、包装用合成樹脂パック本体Ａの長手縁片側Ｂを蝶番部として長手縁片側Ｃの中心から両端寄りにＵ字型切込みａを２か所設置することで、前項記載の串引き皿同様の効果を成し得て、焼き鳥や和菓子団子を食する際串引きを容易にできる。
【発明の効果】
【０００９】本発明は以上のとおりに構成したので、請求項１，２，３記載の皿の縁を高くまた、縁の角度を８０度から１００度若しくは垂直に形成して、縁長手両側にＵ字型の切込みを４か所設置することにより、その切込みに串を挿入し串を引き、串下辺にある焼き鳥や串焼き類及び和菓子団子を食する際、人前で大きな口を開けず口角を汚さずに、子供は串で喉を突く事無く安全に、女性の場合食後口紅や化粧直しなど余計な時間を省く事ができ、手指や衣服類も汚さず安心して食することが出来る。また製造に際し現在使用している機械、工具等を改良する事で対応が出来、産業上の発展も見込める。
【図面の簡単な説明】
【００１０】
【図１】本発明の陶器皿の全体図である。
【図２】串引き皿側面図である。
【図３】本発明の串引き皿に焼き物及び和菓子団子を乗せた展開図である。
【図４】合成樹脂包装用パックの全体図である。
【図５】合成樹脂包装用パック皿部側面図である。
【図６】合成樹脂包装用パック皿部の全体図である。
【符号の説明】
【００１１】［図１］
Ａ−陶器皿本体  Ｂ−本体長手縁  Ｃ−本体長手縁
Ｄ−本体横手縁  Ｅ−本体横手縁  ａ−Ｕ字切込み
ｂ−焼き鳥串
［図４］Ａ−樹脂パック本体  Ｂ−樹脂パック蝶番部  Ｃ−樹脂パック長手縁  ａ−Ｕ字型切込み部  Ｄ−樹脂パック蓋部
【図１】
2014097270.tif 000003
【図２】
2014097270.tif 000004
【図３】
2014097270.tif 000005
【図４】
2014097270.tif 000006
【図５】
2014097270.tif 000007
【図６】
2014097270.tif 000008